(57)【要約】【課題】薄型化が可能な時計を提供する。【解決手段】時計１は、ケース本体３に対して表裏方向に移動するフロントスイッチと、ケース本体３の内部において計時機能を有する回路が設けられた回路基板２６と、回路基板２６に対して固定される固定部４１、回路基板２６に接触する接触部４２、および表裏方向から見て回路基板２６に重ならない位置に配置されフロントスイッチの移動を受ける受部４３を有するスイッチ伝達体４０と、を備える。【選択図】図２
2018054295.tif 000002
【特許請求の範囲】
【請求項１】
ケースに対して所定方向に移動するスイッチと、
前記ケースの内部において計時機能を有する回路が設けられた回路基板と、
前記回路基板に対して固定される固定部、前記回路基板に接触する接触部、および前記所定方向から見て前記回路基板に重ならない位置に配置され前記スイッチの移動を受ける受部を有するスイッチ伝達体と、
を備えることを特徴とする時計。
【請求項２】
前記スイッチ伝達体は、一体形成されている、
ことを特徴とする請求項１に記載の時計。
【請求項３】
前記固定部および前記接触部は、前記受部から互いに独立して延びている、
ことを特徴とする請求項１または２に記載の時計。
【請求項４】
前記スイッチ伝達体は、互いに独立して延びる一対の前記固定部を備え、
前記接触部は、前記所定方向から見て前記一対の固定部の間に配置されている、
ことを特徴とする請求項３に記載の時計。
【請求項５】
前記スイッチ伝達体は、１つの前記固定部を備える、
ことを特徴とする請求項３に記載の時計。
【請求項６】
前記固定部および前記接触部は、前記所定方向から見て互いに重なる位置に設けられている、
ことを特徴とする請求項３に記載の時計。
【請求項７】
前記回路基板に供給する電力が蓄えられる電池と、
前記回路基板に対して固定され、前記電池を収容する電池枠と、
を備え、
前記固定部は、前記電池枠に固定されている、
ことを特徴とする請求項１から６のいずれか１項に記載の時計。
【請求項８】
前記回路基板に供給する電力が蓄えられる電池と、
前記回路基板に対して固定され、前記電池を収容する電池枠と、
前記電池の一方電極端子に当接するスイッチばねと、
を備え、
前記スイッチ伝達体は、前記スイッチばねと一体形成されている、
ことを特徴とする請求項１から６のいずれか１項に記載の時計。
【請求項９】
前記固定部は、前記回路基板に直接固定されている、
ことを特徴とする請求項１から６のいずれか１項に記載の時計。
【請求項１０】
前記計時機能による出力を表示する表示部と、
前記回路基板を挟んで前記表示部の反対側から前記ケースに取り付けられる裏蓋と、
を備え、
前記接触部は、前記回路基板に対して前記裏蓋側から接触する、
ことを特徴とする請求項１から９のいずれか１項に記載の時計。
【請求項１１】
前記固定部は、前記回路基板に供給する電力が蓄えられる電池のプラス極およびマイナス極のいずれか一方の電位と同電位となる、
ことを特徴とする請求項１から１０のいずれか１項に記載の時計。
【請求項１２】
前記スイッチは、前記計時機能を操作するスイッチである、
ことを特徴とする請求項１から１１のいずれか１項に記載の時計。
【発明の詳細な説明】
【技術分野】
【０００１】
本発明は、時計に関するものである。
【背景技術】
【０００２】
時計は、ケースにおける時刻等が表示される表示面側の部分にスイッチを備えたものがある。例えば下記特許文献１に記載の時計は、外装ケースに形成された貫通孔を貫通するシャフトの上端にフロントボタンが固着された構造を有するスイッチを備えている。この時計では、シャフトの下端が、スイッチ基板上に固定されたラバースイッチに対して、スイッチの移動方向で対向している。また、スイッチ基板は、電池枠とスイッチばねとの間に配置されて固定されている。
【先行技術文献】
【特許文献】
【０００３】
【特許文献１】特開２００６−２３４４３５号公報
【発明の概要】
【発明が解決しようとする課題】
【０００４】
しかしながら、上記従来技術では、スイッチの移動方向において、スイッチのフロントボタンおよびシャフトと、ラバースイッチと、スイッチ基板と、スイッチばねと、が並んで配置されている。このため、時計におけるスイッチが配置される箇所がスイッチの移動方向に厚くなる場合がある。したがって、従来技術の時計にあっては、薄型化を行うにあたって改善の余地がある。
【０００５】
そこで本発明は、薄型化が可能な時計を提供するものである。
【課題を解決するための手段】
【０００６】
本発明の時計は、ケースに対して所定方向に移動するスイッチと、前記ケースの内部において計時機能を有する回路が設けられた回路基板と、前記回路基板に対して固定される固定部、前記回路基板に接触する接触部、および前記所定方向から見て前記回路基板に重ならない位置に配置され前記スイッチの移動を受ける受部を有するスイッチ伝達体と、を備えることを特徴とする。
【０００７】
本発明によれば、回路基板に対して固定される固定部、回路基板に接触する接触部、およびスイッチの移動を受ける受部を有するスイッチ伝達体を備えるので、従来技術のようにラバースイッチおよびスイッチ基板を用いることなく、スイッチ機能を実現することができる。そして、スイッチの移動に伴って所定方向に移動する受部が、所定方向から見て回路基板に重ならない位置に配置されているので、スイッチ伝達体の受部が所定方向から見て回路基板と重なる位置に配置される構成と比較して、スイッチが配置される箇所における所定方向の厚さが増大することを抑制できる。したがって、薄型化が可能な時計を提供できる。
【０００８】
上記の時計において、前記スイッチ伝達体は、一体形成されている、ことが望ましい。
【０００９】
本発明によれば、部品点数を削減できるので、時計の組み立てを容易に行うことができる。したがって、時計の製造コストを削減できる。
【００１０】
上記の時計において、前記固定部および前記接触部は、前記受部から互いに独立して延びている、ことが望ましい。
【００１１】
本発明によれば、受部がスイッチの移動を受けて所定方向に移動することで、固定部とは独立して受部から延びる接触部も、受部とともに移動させることができる。したがって、スイッチの移動を受けて回路基板に対して接近離反する接触部を有するスイッチ伝達体を形成できる。
【００１２】
上記の時計において、前記スイッチ伝達体は、互いに独立して延びる一対の前記固定部を備え、前記接触部は、前記所定方向から見て前記一対の固定部の間に配置されている、ことが望ましい。
【００１３】
本発明によれば、所定方向に直交する方向への接触部のずれを抑制しつつ、接触部を所定方向に安定して変位させることができる。これにより、接触部を回路基板に対して確実に接触させることができる。したがって、スイッチ機能における優れた信頼性を有する時計とすることができる。
【００１４】
上記の時計において、前記スイッチ伝達体は、１つの前記固定部を備える、ことが望ましい。
【００１５】
本発明によれば、スイッチ伝達体を簡素な形状に形成できる。よって、スイッチ伝達体の製造コストを低減でき、低コストな時計とすることができる。
【００１６】
上記の時計において、前記固定部および前記接触部は、前記所定方向から見て互いに重なる位置に設けられている、ことが望ましい。
【００１７】
本発明によれば、固定部および接触部が所定方向から見て重ならない構成と比較して、所定方向から見たスイッチ伝達体の外形を小さくすることができる。これにより、所定方向から見たスイッチ伝達体の専有面積を削減できるので、時計を小型化できる。
【００１８】
上記の時計において、前記回路基板に供給する電力が蓄えられる電池と、前記回路基板に対して固定され、前記電池を収容する電池枠と、を備え、前記固定部は、前記電池枠に固定されている、ことが望ましい。
【００１９】
本発明によれば、固定部が回路基板に対して固定された電池枠に固定されているので、固定部を回路基板に対して間接的に固定することができる。したがって、上述した作用効果を奏する時計を形成することができる。
【００２０】
上記の時計において、前記回路基板に供給する電力が蓄えられる電池と、前記回路基板に対して固定され、前記電池を収容する電池枠と、前記電池の一方電極端子に当接するスイッチばねと、を備え、前記スイッチ伝達体は、前記スイッチばねと一体形成されている、ことが望ましい。
【００２１】
本発明によれば、部品点数を削減できるので、時計の組み立てを容易に行うことができる。したがって、時計の製造コストを削減できる。
【００２２】
上記の時計において、前記固定部は、前記回路基板に直接固定されている、ことが望ましい。
【００２３】
本発明によれば、固定部を回路基板に対して容易に固定することができる。したがって、固定部が回路基板に対して間接的に固定される構成と比較して、上述した作用効果を奏する時計を容易に形成することができる。
【００２４】
上記の時計において、前記計時機能による出力を表示する表示部と、前記回路基板を挟んで前記表示部の反対側から前記ケースに取り付けられる裏蓋と、を備え、前記接触部は、前記回路基板に対して前記裏蓋側から接触する、ことが望ましい。
【００２５】
一般的に、時計の回路基板と裏蓋との間には電池が配置されるので、回路基板と裏蓋とは間隔をあけて配置される。本発明によれば、接触部は回路基板に対して裏蓋側から接触するので、接触部を回路基板と裏蓋との間隔に配置でき、回路基板と裏蓋との間隔を有効に利用することができる。したがって、時計を薄型化できる。
【００２６】
上記の時計において、前記固定部は、前記回路基板に供給する電力が蓄えられる電池のプラス極およびマイナス極のいずれか一方の電位と同電位となる、ことが望ましい。
【００２７】
本発明によれば、固定部は、電池のプラス極およびマイナス極のいずれか一方の電位と同電位となるので、スイッチ伝達体により回路基板に対して静電シールドすることができる。よって、回路基板における静電気のノイズの影響を低減でき、誤作動が抑制された時計とすることができる。
【００２８】
上記の時計において、前記スイッチは、前記計時機能を操作するスイッチである、ことが望ましい。
【００２９】
本発明によれば、計時機能を操作可能な時計を薄型化することができる。
【発明の効果】
【００３０】
本発明によれば、薄型化が可能な時計を提供できる。
【図面の簡単な説明】
【００３１】
【図１】第１実施形態に係る時計の平面図である。
【図２】第１実施形態に係る時計の底面図である。
【図３】図１のＩＩＩ−ＩＩＩ線における断面図である。
【図４】第１実施形態に係るスイッチ伝達体の底面図である。
【図５】第１実施形態に係るスイッチ伝達体の側面図である。
【図６】図２のＶＩ−ＶＩ線における断面図である。
【図７】図２のＶＩＩ−ＶＩＩ線における断面図である。
【図８】第１実施形態に係るスイッチ伝達体の動作説明図であって、図２のＶＩ−ＶＩ線に相当する部分おける断面図である。
【図９】第１実施形態に係るスイッチ伝達体の動作説明図であって、図２のＶＩＩ−ＶＩＩ線に相当する部分おける断面図である。
【図１０】第１実施形態の変形例に係る回路基板およびスイッチ伝達体の底面図である。
【図１１】第１実施形態の変形例に係る時計の説明図であって、図１０のＸＩ−ＸＩ線に相当する部分における断面図である。
【図１２】第１実施形態の変形例に係るスイッチ伝達体の動作説明図であって、図１０のＸＩ−ＸＩ線に相当する部分における断面図である。
【図１３】第２実施形態に係る時計の底面図である。
【図１４】図１３のＸＩＶ−ＸＩＶ線における断面図である。
【図１５】第２実施形態に係るスイッチ伝達体の動作説明図であって、図１３のＸＩＶ−ＸＩＶ線に相当する部分における断面図である。
【図１６】第３実施形態に係る回路基板およびスイッチ伝達体の底面図である。
【図１７】第４実施形態に係る回路基板およびスイッチ伝達体の底面図である。
【図１８】図１７のＸＶＩＩＩ−ＸＶＩＩＩ線における断面図である。
【図１９】第４実施形態に係るスイッチ伝達体の動作説明図であって、図１７のＸＶＩＩＩ−ＸＶＩＩＩ線に相当する部分における断面図である。
【発明を実施するための形態】
【００３２】
以下、本発明の実施形態を図面に基づいて説明する。
［第１実施形態］
最初に、第１実施形態の時計１について説明する。
図１は、第１実施形態に係る時計の平面図である。図２は、第１実施形態の時計の底面図である。図３は、図１のＩＩＩ−ＩＩＩ線における断面図である。なお、図２では、後述する裏蓋４を取り外した状態を示している。
図１から図３に示すように、時計１は、デジタル式の電子腕時計であって、外装ケース２と、外装ケース２の内部に収容されたムーブメント２０と、を備えている。なお、以下の説明では、時計１を腕に装着して使用するにあたって、ユーザーが視認する側を表側と称し、その反対側を裏側と称する。また、表裏方向（所定方向）に直交する方向のうち、６時側の位置から１２時側の位置に向かう方向を＋Ｘ方向、その反対方向を−Ｘ方向、９時側の位置から３時側の位置に向かう方向を＋Ｙ方向、その反対方向を−Ｙ方向と定義する。
【００３３】
図３に示すように、外装ケース２は、ケース本体３（ケース）と裏蓋４とを有する。ケース本体３は、表裏を開口させ内部がムーブメント収納部１０となっている樹脂製の外枠５と、外枠５の表側に形成された表側開口部５ａに樹脂製のパッキン７を介して固定された透明なカバーガラス６と、を備えている。裏蓋４は、金属材料により形成されている。裏蓋４は、外枠５の裏側に形成されている裏側開口部５ｂを閉塞する。裏蓋４は、外枠５に対してネジ（不図示）により取り外し可能に取り付けられている。
【００３４】
外枠５における表側開口部５ａの裏側には、内フランジ部１１が形成されている。内フランジ部１１は、表裏方向に直交する方向に沿って内側に向かって突出している。内フランジ部１１の表側には、上述したカバーガラス６が配置されている。
【００３５】
図１および図３に示すように、外枠５には、バンドを取り付けるための一対のバンド取付部１２と、複数のサイドスイッチ１３を取り付けるためのサイドスイッチ配置孔１４と、フロントスイッチ１５（スイッチ）を取り付けるための段付貫通孔１６と、が形成されている。図１に示すように、一対のバンド取付部１２は、外枠５の外周部における＋Ｘ側の位置と−Ｘ側の位置とにそれぞれ設けられている。サイドスイッチ配置孔１４は、外枠５の外周部における各バンド取付部１２から離間した位置に設けられている。図１および図３に示すように、段付貫通孔１６は、外枠５における表側開口部５ａよりも−Ｘ側に設けられている。段付貫通孔１６は、表裏方向に延在している。段付貫通孔１６は、表側に大径部１６ａを有し、裏側に小径部１６ｂを有する。複数のサイドスイッチ１３およびフロントスイッチ１５は、計時機能を操作し、後述する液晶ディスプレイ（以下、ＬＣＤと略す）２５（表示部）に表示される内容を切り換えるためのものである。
【００３６】
図３に示すように、フロントスイッチ１５は、段付貫通孔１６の小径部１６ｂに挿通されたシャフト１５ａと、シャフト１５ａの表側端部に固着されて段付貫通孔１６の大径部１６ａに配置されたフロントボタン１５ｂと、シャフト１５ａの裏側端部に取り付けられて段付貫通孔１６の裏側の開口縁部に当接可能に形成された抜止部材１５ｃと、を備えている。フロントスイッチ１５は、外装ケース２に対して表裏方向に移動可能に設けられている。また、フロントスイッチ１５は、抜止部材１５ｃが段付貫通孔１６の裏側の開口縁部に当接することで表側への移動を規制され、脱落することを防止されている。
【００３７】
ムーブメント２０は、カバーガラス６と裏蓋４との間に配置され、図示しないネジにより外枠５に固定されている。ムーブメント２０は、駆動ユニット２１と、電池ユニット２２と、スイッチばね２３と、スイッチ伝達体４０と、を備えている。駆動ユニット２１および電池ユニット２２は、表裏に積層されてスイッチばね２３により連結されている。駆動ユニット２１は表側、すなわちカバーガラス６の近傍に配置され、電池ユニット２２は裏側、すなわち裏蓋４の近傍に配置されている。
【００３８】
駆動ユニット２１は、ＬＣＤ保持枠２４と、ＬＣＤ保持枠２４の内側に収容されたＬＣＤ２５と、ＬＣＤ保持枠２４の裏側に取り付けられた回路基板２６と、を備えている。
ＬＣＤ２５は、時刻等の像をデジタル表示するものであって、カバーガラス６に対向して配置されている。すなわち、ユーザーは、カバーガラス６を透してＬＣＤ２５に表示された像を見ることができる。ＬＣＤ２５は、液晶を挟んで対向配置されたガラス基板２５ａ，２５ｂと、ガラス基板２５ａ，２５ｂの外側に配置された偏光フィルタ２５ｃ，２５ｄと、により構成されている。
【００３９】
回路基板２６には、計時機能を有する回路が設けられている。具体的に、回路基板２６には、発振回路や分周回路、ＲＯＭ（Ｒｅａｄ  Ｏｎｌｙ  Ｍｅｍｏｒｙ、読み出し専用メモリ）、ＲＡＭ（Ｒａｎｄｏｍ  Ａｃｃｅｓｓ  Ｍｅｍｏｒｙ、ランダムアクセスメモリ）、ＣＰＵ等が実装されている。回路基板２６には、ＬＣＤ２５が接続され、回路基板２６のＣＰＵにより制御される。
【００４０】
さらに、回路基板２６の裏面には、図示しない正極入力端子および正極出力端子と、スイッチ端子２８と、が設けられている。正極出力端子は、正極入力端子と同電位になっている。回路基板２６は、スイッチ端子２８が後述する電池３０のプラス極３０ａと同電位になることによって、ＬＣＤ２５に表示される内容を切り替える。
【００４１】
電池ユニット２２は、ボタン型の電池３０と、樹脂材料により形成され電池３０を収容する電池枠３１と、を備えている。
電池３０は、回路基板２６に供給する電力が蓄えられる。電池３０は、電池押さえ２９によって電池枠３１に対して保持されている。電池押さえ２９は、金属材料からなる板材をプレス加工することにより形成されている。
【００４２】
スイッチばね２３は、金属材料からなる板材をプレス加工することにより形成されている。スイッチばね２３は、電池枠３１の裏側に配置されてＸＹ平面に沿って延び電池枠３１を覆う平板部２３ａと、平板部２３ａに接続し電池３０のプラス極３０ａに当接する端子部２３ｂと、平板部２３ａの外周縁から電池枠３１およびＬＣＤ保持枠２４の側面に沿って延びる複数のアーム２３ｃ（図２参照）と、を備えている。スイッチばね２３は、各アーム２３ｃの先端がＬＣＤ保持枠２４の側部に係合して、駆動ユニット２１と電池ユニット２２とを連結している。
【００４３】
また、スイッチばね２３は、不図示の導体を介して回路基板２６の正極入力端子に接続されている。つまり、スイッチばね２３は、陽極端子として機能と、駆動ユニット２１と電池ユニット２２とを連結して一体化する連結部材としての機能を有している。
【００４４】
スイッチ伝達体４０は、フロントスイッチ１５の裏側に配置されている。図２に示すように、スイッチ伝達体４０は、金属材料からなる板材をプレス加工することにより形成されている。スイッチ伝達体４０は、回路基板２６（図３参照）に対して固定される一対の固定部４１と、回路基板２６のスイッチ端子２８に接触する接触部４２と、表裏方向から見て回路基板２６に重ならない位置に配置されフロントスイッチ１５（図３参照）の移動を受ける受部４３と、を有する。一対の固定部４１、接触部４２および受部４３は、一体形成されている。
【００４５】
図４は、第１実施形態に係るスイッチ伝達体の底面図である。図５は、第１実施形態に係るスイッチ伝達体の側面図である。図６は、図２のＶＩ−ＶＩ線における断面図である。図７は、図２のＶＩＩ−ＶＩＩ線における断面図である。
受部４３は、表裏方向から見て回路基板２６の−Ｘ側に配置されている。図４および図５に示すように、受部４３は、ＸＹ平面に沿って延びるとともにＹ方向を長手方向とする矩形板状の主部４３ａと、主部４３ａの−Ｘ側の端縁の全長に亘って設けられ表側に向かって屈曲したリブ４３ｂと、主部４３ａのＹ方向中央部から＋Ｘ側に向かって突出した突出部４３ｃと、を有する。
【００４６】
図４および図７に示すように、受部４３には、フロントスイッチ１５のシャフト１５ａの裏側の端部が常時当接する力点部４４が設けられている。力点部４４は、受部４３のＹ方向中央部であって、主部４３ａと突出部４３ｃとに跨って設けられている。フロントスイッチ１５を押下することにより、受部４３は裏側に向かって変位する。
【００４７】
図４に示すように、一対の固定部４１は、それぞれ受部４３のＹ方向の両端部から延びている。各固定部４１は、受部４３のＹ方向の両端部のそれぞれから＋Ｘ側に向かって略一定の幅で延びる本体部４１ａと、本体部４１ａの＋Ｘ側の端部からＹ方向の外側に向かって本体部４１ａに対して斜めに延びる舌片部４１ｂと、を有する。図６に示すように、本体部４１ａの先端は、回路基板２６と電池枠３１との間に挟まれて固定されている。本体部４１ａの先端には、貫通孔４１ｃが形成されている。貫通孔４１ｃには、ＬＣＤ保持枠２４から裏側に向かって突出した突起部２４ａが挿通されている。突起部２４ａは、回路基板２６を貫通するとともに電池枠３１に形成された孔部３１ａに挿入されている。舌片部４１ｂ（図４参照）は、上述した正極出力端子に圧接している。これにより、各固定部４１、すなわちスイッチ伝達体４０は、電池３０のプラス極３０ａと同電位となっている。
【００４８】
図８は、第１実施形態に係るスイッチ伝達体の動作説明図であって、図２のＶＩ−ＶＩ線に相当する部分おける断面図である。
図６および図８に示すように、固定部４１の本体部４１ａの先端は、回路基板２６と電池枠３１との間に挟まれて固定されているので、固定部４１の本体部４１ａの基端に対して裏側に向かう方向の外力が作用すると、固定部４１の本体部４１ａが裏側に向かって撓む。本実施形態では、固定部４１の本体部４１ａは、電池枠３１により裏側から支持されているので、固定部４１の本体部４１ａの電池枠３１との接触部における−Ｘ側の端部を支点Ｐとして撓む。
【００４９】
図４に示すように、接触部４２は、表裏方向から見て受部４３から固定部４１と同じ方向に向かって延びている。接触部４２は、表裏方向から見て一対の固定部４１の間に配置されている。接触部４２は、一対の固定部４１とは独立して、受部４３の突出部４３ｃの＋Ｘ側の端部から略一定の幅で延びている。図４および図５に示すように、接触部４２は、受部４３の突出部４３ｃの＋Ｘ側の端部から裏側に向かって延び、さらに＋Ｘ側に向かって屈曲して延びている。図７に示すように、接触部４２の先端は、表裏方向における回路基板２６の裏面よりも裏側の位置に設けられている。接触部４２の先端は、電池枠３１に形成された凹部３１ｂ内に配置されている。凹部３１ｂは、−Ｘ側および表側に向けて開口し、回路基板２６のスイッチ端子２８を露出させている。接触部４２は、固定部４１における支点Ｐ（図６参照）よりも＋Ｘ側であって、表裏方向から見て回路基板２６の裏面に設けられたスイッチ端子２８と重なる位置まで延びている。接触部４２の先端には、表側に向かって突出した接触凸部４２ａが形成されている。接触凸部４２ａの頂点は、回路基板２６のスイッチ端子２８に対して僅かに離間している。
【００５０】
以下、スイッチ伝達体４０の動作について説明する。
図８に示すように、フロントスイッチ１５が押下されると、シャフト１５ａの裏側の端部に当接する受部４３が、外枠５に対して裏側に向かって変位する。受部４３には、回路基板２６および電池枠３１に固定された固定部４１が接続されているので、受部４３が裏側に向かって変位することで、固定部４１は支点Ｐ回りに裏側に向かって撓む。すると、受部４３は、固定部４１を撓ませながら、−Ｘ側に向かうに従い裏側に向かうように傾斜する。
【００５１】
図９は、第１実施形態に係るスイッチ伝達体の動作説明図であって、図２のＶＩＩ−ＶＩＩ線に相当する部分おける断面図である。
図９に示すように、受部４３の＋Ｘ側の端部には、一対の固定部４１とは独立して延びる接触部４２が接続されているので、受部４３の傾斜に伴って接触部４２も受部４３と同様に傾斜する。すなわち、接触部４２は、＋Ｘ側に向かうに従い表側に向かうように傾斜する。これにより、接触部４２における固定部４１の支点Ｐ（図８参照）よりも＋Ｘ側に位置する先端は、表側に向かって変位する。その結果、接触部４２の先端は、回路基板２６の裏面に接近し、接触部４２の先端に形成された接触凸部４２ａが回路基板２６のスイッチ端子２８に接触する。これにより、回路基板２６のスイッチ端子２８と正極出力端子とがスイッチ伝達体４０を通じて導通し、ＬＣＤ２５に表示される内容が切り替えられる。
【００５２】
このように、本実施形態によれば、回路基板２６に対して固定される固定部４１、回路基板２６に接触する接触部４２、およびフロントスイッチ１５の移動を受ける受部４３を有するスイッチ伝達体４０を備えるので、従来技術のようにラバースイッチおよびスイッチ基板を用いることなく、スイッチ機能を実現することができる。そして、フロントスイッチ１５の移動に伴って表裏方向に移動する受部４３が、表裏方向から見て回路基板２６に重ならない位置に配置されているので、スイッチ伝達体の受部が表裏方向から見て回路基板と重なる位置に配置される構成と比較して、フロントスイッチ１５が配置される箇所におけるフロントスイッチ１５の移動方向（すなわち表裏方向）の厚さが増大することを抑制できる。したがって、薄型化が可能な時計１を提供できる。
【００５３】
また、スイッチ伝達体４０は、一体形成されているので、部品点数を削減でき、時計１の組み立てを容易に行うことができる。したがって、時計１の製造コストを削減できる。
【００５４】
また、一対の固定部４１および接触部４２は、受部４３から互いに独立して延びているので、受部４３がフロントスイッチ１５の移動を受けて表裏方向に移動することで、固定部４１とは独立して受部４３から延びる接触部４２も、受部４３とともに移動させることができる。したがって、フロントスイッチ１５の移動を受けて回路基板２６に対して接近離反する接触部４２を有するスイッチ伝達体４０を形成できる。
【００５５】
また、スイッチ伝達体４０は、互いに独立して延びる一対の固定部４１を備え、接触部４２は、表裏方向から見て一対の固定部４１の間に配置されているので、表裏方向に直交する方向への接触部４２のずれを抑制しつつ、接触部４２を表裏方向に安定して変位させることができる。これにより、接触部４２を回路基板２６に対して確実に接触させることができる。したがって、スイッチ機能における優れた信頼性を有する時計１とすることができる。
【００５６】
また、固定部４１が回路基板２６に対して固定された電池枠３１に固定されているので、固定部４１を回路基板２６に対して間接的に固定することができる。したがって、上述した作用効果を奏する時計１を形成することができる。
【００５７】
また、一般的に、時計の回路基板と裏蓋との間には電池が配置されるので、回路基板と裏蓋とは間隔をあけて配置される。本実施形態によれば、接触部４２は回路基板２６に対して裏蓋４側（すなわち裏側）から接触するので、接触部４２を回路基板２６と裏蓋４との間隔に配置でき、回路基板２６と裏蓋４との間隔を有効に利用することができる。したがって、時計１を薄型化できる。
【００５８】
また、固定部４１は、電池３０のプラス極３０ａの電位と同電位となっているので、スイッチ伝達体４０により回路基板２６に対して静電シールドすることができる。よって、回路基板２６における静電気のノイズの影響を低減でき、誤作動が抑制された時計１とすることができる。
【００５９】
また、フロントスイッチ１５は、計時機能を操作するスイッチであるので、計時機能を操作可能な時計１を薄型化することができる。
【００６０】
［第１実施形態の変形例］
次に、第１実施形態の変形例の時計１０１について説明する。
図１０は、第１実施形態の変形例に係る回路基板およびスイッチ伝達体の底面図である。図１１は、第１実施形態の変形例に係る時計の説明図であって、図１０のＸＩ−ＸＩ線に相当する部分における断面図である。図１２は、第１実施形態の変形例に係るスイッチ伝達体の動作説明図であって、図１０のＸＩ−ＸＩ線に相当する部分における断面図である。
図６に示す第１実施形態では、固定部４１が回路基板２６と電池枠３１との間に挟まれて固定されている。これに対して図１１に示す第１実施形態の変形例では、固定部１４１が回路基板２６に直接固定されている点で、第１実施形態と異なっている。なお、図１から図９に示す第１実施形態と同様の構成については、同一符号を付して詳細な説明を省略する（以下の実施形態についても同様）。
【００６１】
図１０に示すように、スイッチ伝達体１４０は、回路基板２６に直接固定される一対の固定部１４１と、上述した接触部４２および受部４３と、を有する。
一対の固定部１４１は、それぞれ受部４３のＹ方向の両端部から延びている。各固定部１４１は、受部４３のＹ方向の両端部のそれぞれから＋Ｘ側に向かって略一定の幅で延びる本体部１４１ａと、本体部１４１ａの＋Ｘ側の端部から本体部１４１ａよりも細い幅で＋Ｘ側に向かって延びて表側に向かって屈曲する屈曲部１４１ｂと、を有する。
【００６２】
図１０および図１１に示すように、固定部１４１の先端は、電池枠３１に形成された凹部３１ｂ内に配置されている。屈曲部１４１ｂの先端は、回路基板２６に形成されたスルーホール２６ａに挿入されて、はんだ２７により固定されている。スルーホール２６ａの周囲には、上述した正極出力端子が設けられており、固定部１４１がはんだ２７を通じて正極出力端子と導通している。これにより、各固定部１４１、すなわちスイッチ伝達体１４０は、電池３０のプラス極３０ａと同電位となっている。
【００６３】
図１２に示すように、固定部１４１の先端は、回路基板２６に直接固定されているので、固定部１４１の本体部１４１ａの基端に対して裏側に向かう方向の外力が作用すると、固定部１４１の本体部１４１ａが裏側に向かって撓む。本実施形態では、固定部１４１は、回路基板２６上のはんだ２７により裏側への変位を規制されているので、固定部１４１のはんだ２７との接触部を支点Ｐとして撓む。このため、上述した第１実施形態と同様に、フロントスイッチ１５が押下されて受部４３が裏側に向かって変位すると、固定部１４１が支点Ｐ回りに裏側に向かって撓む。その結果、図９に示す第１実施形態と同様に、接触部４２は、＋Ｘ側に向かうに従い表側に向かうように傾斜して、接触部４２の先端に形成された接触凸部４２ａが回路基板２６のスイッチ端子２８に接触する。これにより、回路基板２６のスイッチ端子２８と正極出力端子とがスイッチ伝達体１４０を通じて導通し、ＬＣＤ２５に表示される内容が切り替えられる。
【００６４】
このように、本変形例によれば、スイッチ伝達体１４０が、回路基板２６に対して固定される固定部１４１、回路基板２６に接触する接触部４２、およびフロントスイッチ１５の移動を受ける受部４３を有するので、上述した第１実施形態と同様に、薄型化が可能な時計１０１を提供できる。
【００６５】
また、固定部１４１は、回路基板２６に直接固定されているので、固定部１４１を回路基板２６に対して容易に固定することができる。したがって、固定部が回路基板に対して間接的に固定される構成と比較して、上述した作用効果を奏する時計１０１を容易に形成することができる。
【００６６】
［第２実施形態］
次に、第２実施形態の時計２０１について説明する。
図１３は、第２実施形態に係る時計の底面図である。図１４は、図１３のＸＩＶ−ＸＩＶ線における断面図である。図１５は、第２実施形態に係るスイッチ伝達体の動作説明図であって、図１３のＸＩＶ−ＸＩＶ線に相当する部分における断面図である。なお、図１３では、裏蓋４を取り外した状態を示している。
図２および図６に示す第１実施形態では、スイッチ伝達体４０とスイッチばね２３とが別体で形成され、固定部４１が回路基板２６と電池枠３１との間に挟まれて固定されている。これに対して図１３および図１４に示す第２実施形態では、スイッチ伝達体２４０とスイッチばね２３とが一体形成され、固定部２４１がスイッチばね２３に固定されている点で、第１実施形態と異なっている。
【００６７】
図１３および図１４に示すように、スイッチ伝達体２４０は、回路基板２６に対して固定された固定部２４１と、回路基板２６のスイッチ端子２８に接触する接触部２４２と、上述した受部４３と、を有する。
一対の固定部２４１は、それぞれ受部４３のＹ方向の両端部から略一定の幅で延びている。図１４に示すように、各固定部２４１は、受部４３のＹ方向の両端部のそれぞれから＋Ｘ側に向かって延びる基端部２４１ａと、基端部２４１ａの＋Ｘ側の端部から裏側に向かって屈曲して表裏方向に沿って延びる表裏延在部２４１ｂと、を有する。表裏延在部２４１ｂは、裏側の端部においてスイッチばね２３の平板部２３ａの外周縁に接続している。これにより各固定部２４１、すなわちスイッチ伝達体２４０は、電池３０のプラス極３０ａと同電位となっている。
【００６８】
図１３に示すように、接触部２４２は、表裏方向から見て受部４３から固定部２４１と同じ方向に向かって延びている。接触部２４２は、表裏方向から見て一対の固定部２４１の間に配置されている。接触部２４２は、一対の固定部２４１とは独立して、受部４３の＋Ｘ側の端部から＋Ｘ側に向かって略一定の幅で延びている。図１４に示すように、接触部２４２の先端は、電池枠３１に形成された凹部３１ｂ内に配置されている。接触部２４２は、固定部２４１における後述する支点Ｐよりも＋Ｘ側であって、表裏方向から見て回路基板２６の裏面に設けられたスイッチ端子２８と重なる位置まで延びている。接触部２４２の先端には、上述した接触凸部４２ａが形成されている。
【００６９】
図１４および図１５に示すように、上述のように構成されたスイッチ伝達体２４０においては、フロントスイッチ１５が押下されて受部４３が外枠５に対して裏側に向かって変位すると、固定部２４１のうち表裏方向に沿って延びる表裏延在部２４１ｂは変形せずに、Ｘ方向に沿って延びる基端部２４１ａが撓む。よって、スイッチ伝達体２４０は、固定部２４１における基端部２４１ａと表裏延在部２４１ｂとの接続部分を支点Ｐとして撓み、上述した第１実施形態と同様に、受部４３が−Ｘ側に向かうに従い裏側に向かうように傾斜する。そして、接触部２４２の先端が表側に向かって変位して回路基板２６の裏面に接近し、接触凸部４２ａが回路基板２６のスイッチ端子２８に接触する。これにより、回路基板２６のスイッチ端子２８と正極出力端子とがスイッチ伝達体２４０を通じて導通し、ＬＣＤ２５に表示される内容が切り替えられる。
【００７０】
このように、本実施形態によれば、スイッチ伝達体２４０が、回路基板２６に対して固定される固定部２４１、回路基板２６に接触する接触部２４２、およびフロントスイッチ１５の移動を受ける受部４３を有するので、上述した各実施形態と同様に、薄型化が可能な時計２０１を提供できる。
【００７１】
また、スイッチ伝達体２４０は、スイッチばね２３と一体形成されているので、部品点数を削減でき、時計２０１の組み立てを容易に行うことができる。したがって、時計２０１の製造コストを削減できる。
【００７２】
［第３実施形態］
次に、第３実施形態の時計が有するスイッチ伝達体３４０について説明する。
図１６は、第３実施形態に係る回路基板およびスイッチ伝達体の底面図である。
図４に示す第１実施形態では、スイッチ伝達体４０が一対の固定部４１を有している。これに対して図１６に示す第３実施形態では、スイッチ伝達体３４０が１つの固定部３４１を有している点で、第１実施形態と異なっている。
【００７３】
図１６に示すように、スイッチ伝達体３４０は、回路基板２６に対して固定される固定部３４１と、上述した接触部４２と、表裏方向から見て回路基板２６に重ならない位置に配置されフロントスイッチ１５の移動を受ける受部３４３と、を有する。
受部３４３は、第１実施形態の受部４３のうちＹ方向における接触部４２よりも＋Ｙ側の部分を除いた形状に形成されている。
【００７４】
固定部３４１は、受部３４３の−Ｙ側の端部から延びている。固定部３４１は、受部３４３の−Ｙ側の端部から＋Ｘ側に向かって略一定の幅で延びてさらに−Ｙ側に向かって延びる本体部３４１ａと、本体部３４１ａの先端から＋Ｘ側かつ−Ｙ側に向かって本体部３４１ａに対して斜めに延びる舌片部３４１ｂと、を有する。本体部３４１ａの先端は、回路基板２６と電池枠３１との間に挟まれて固定されている。本体部３４１ａの先端近傍におけるＹ方向に沿って延びる部分には、一対の貫通孔３４１ｃがＹ方向に並んで形成されている。各貫通孔３４１ｃには、図６に示す第１実施形態の貫通孔４１ｃと同様に、ＬＣＤ保持枠２４から裏側に向かって突出した突起部が挿通されている。舌片部３４１ｂは、上述した正極出力端子に圧接している。これにより、各固定部３４１、すなわちスイッチ伝達体３４０は、電池３０のプラス極３０ａと同電位となっている。
【００７５】
上述のように構成されたスイッチ伝達体３４０においては、フロントスイッチ１５が押下されて受部３４３が外枠５に対して裏側に向かって変位すると、固定部３４１は、第１実施形態の固定部４１と同様に、固定部３４１の電池枠３１との接触部における−Ｘ側の端部を支点として撓む。その結果、上述した第１実施形態と同様に、受部３４３が−Ｘ側に向かうに従い裏側に向かうように傾斜する。そして、接触部４２の先端が表側に向かって変位して回路基板２６の裏面に接近し、接触凸部４２ａが回路基板２６のスイッチ端子２８に接触する。これにより、回路基板２６のスイッチ端子２８と正極出力端子とがスイッチ伝達体３４０を通じて導通し、ＬＣＤ２５に表示される内容が切り替えられる。
【００７６】
このように、本実施形態によれば、スイッチ伝達体３４０が、回路基板２６に対して固定される固定部３４１、回路基板２６に接触する接触部４２、およびフロントスイッチ１５の移動を受ける受部３４３を有するので、上述した各実施形態と同様に、薄型化が可能な時計３０１を提供できる。
【００７７】
また、スイッチ伝達体３４０は、１つの固定部３４１を備えるので、スイッチ伝達体３４０を簡素な形状に形成できる。よって、スイッチ伝達体３４０の製造コストを低減でき、低コストな時計３０１とすることができる。
【００７８】
［第４実施形態］
次に、第４実施形態の時計４０１について説明する。
図１７は、第４実施形態に係る回路基板およびスイッチ伝達体の底面図である。図１８は、図１７のＸＶＩＩＩ−ＸＶＩＩＩ線における断面図である。図１９は、第４実施形態に係るスイッチ伝達体の動作説明図であって、図１７のＸＶＩＩＩ−ＸＶＩＩＩ線に相当する部分における断面図である。
図１６に示す第３実施形態では、固定部３４１および接触部４２が表裏方向から見て並んで配置されている。これに対して図１７に示す第４実施形態では、固定部４４１および接触部４４２が表裏方向から見て互いに重なる位置に設けられている点で、第３実施形態と異なっている。
【００７９】
図１７および図１８に示すように、スイッチ伝達体４４０は、金属材料からなる板材により形成され、Ｙ方向から見て＋Ｘ側に開口するＵ字状に湾曲している。スイッチ伝達体４４０は、回路基板２６に対して固定される固定部４４１と、回路基板２６に接触する接触部４４２と、表裏方向から見て回路基板２６に重ならない位置に配置されフロントスイッチ１５の移動を受ける受部４４３と、を有する。
【００８０】
受部４４３は、スイッチ伝達体４４０における表側の部分に設けられている。受部４４３は、ＸＹ平面に沿うように形成されている。受部４４３は、略一定の幅でＸ方向に延びている。受部４４３には、フロントスイッチ１５のシャフト１５ａの裏側の端部が常時当接する力点部４４が設けられている。
【００８１】
固定部４４１は、受部４４３の＋Ｘ側の端部から延びている。固定部４４１は、受部４４３から＋Ｘ側に向かって受部４４３と同じ略一定の幅で延びる本体部４４１ａと、本体部４４１ａの＋Ｘ側の端部からＹ方向の両側に向かって延びて表側に向かって屈曲する一対の屈曲部４４１ｂと、を有する。固定部４４１の先端は、電池枠３１に形成された凹部３１ｂ内に配置されている。各屈曲部４４１ｂの先端は、回路基板２６に形成されたスルーホール２６ａにそれぞれ挿入されて、はんだ２７により固定されている。スルーホール２６ａの周囲には、上述した正極出力端子が設けられおり、固定部４４１がはんだ２７を通じて正極出力端子と導通している。これにより、各固定部４４１、すなわちスイッチ伝達体４４０は、電池３０のプラス極３０ａと同電位となっている。
【００８２】
図１９に示すように、固定部４４１の先端は、回路基板２６に直接固定されているので、固定部４４１の本体部４４１ａの基端に対して裏側に向かう方向の外力が作用すると、固定部４４１の本体部４４１ａが裏側に向かって撓む。本実施形態では、固定部４４１は、回路基板２６上のはんだ２７により裏側への変位を規制されているので、固定部４４１のはんだ２７との接触部を支点Ｐとして撓む。
【００８３】
図１７および図１８に示すように、接触部４４２は、固定部４４１とは独立して、受部４４３の−Ｘ側の端部から延びている。接触部４４２は、受部の−Ｘ側の端部から裏側かつ＋Ｘ側に向かって湾曲して延び、さらに＋Ｘ側に向かってＹ方向の幅を狭めながら延びている。接触部４４２の先端は、表裏方向における回路基板２６の裏面よりも裏側の位置に設けられている。接触部４４２の先端は、電池枠３１に形成された凹部３１ｂ内に配置されている。接触部４４２は、固定部４４１における支点Ｐ（図１９参照）よりも＋Ｘ側であって、表裏方向から見て回路基板２６の裏面に設けられたスイッチ端子２８と重なる位置まで延びている。接触部４４２の先端には、表側に向かって突出した接触凸部４２ａが形成されている。
【００８４】
図１９に示すように、上述のように構成されたスイッチ伝達体４４０においては、上述した第１実施形態と同様にフロントスイッチ１５が押下されて受部４４３が裏側に向かって変位すると、固定部４４１が支点Ｐ回りに裏側に向かって撓む。その結果、接触部４４２は、＋Ｘ側に向かうに従い表側に向かうように傾斜して、接触部４４２の先端に形成された接触凸部４２ａが回路基板２６のスイッチ端子２８に接触する。これにより、回路基板２６のスイッチ端子２８と正極出力端子とがスイッチ伝達体４４０を通じて導通し、ＬＣＤ２５に表示される内容が切り替えられる。
【００８５】
このように、本実施形態によれば、スイッチ伝達体４４０が、回路基板２６に対して固定される固定部４４１、回路基板２６に接触する接触部４４２、およびフロントスイッチ１５の移動を受ける受部４４３を有するので、上述した各実施形態と同様に、薄型化が可能な時計４０１を提供できる。
【００８６】
また、固定部４４１および接触部４４２は、表裏方向から見て互いに重なる位置に設けられているので、固定部および接触部が表裏方向から見て重ならない構成と比較して、表裏方向から見たスイッチ伝達体４４０の外形を小さくすることができる。これにより、表裏方向から見たスイッチ伝達体４４０の専有面積を削減できるので、時計４０１を小型化できる。
【００８７】
なお、本発明は、図面を参照して説明した上述の実施形態に限定されるものではなく、その技術的範囲において様々な変形例が考えられる。
例えば、上記実施形態においては、フロントスイッチ１５は、計時機能を操作し、ＬＣＤ２５に表示される内容を切り換えるためのものであるが、これに限定されず、例えばＬＣＤ２５のバックライトを点灯させるためのものであってもよい。
【００８８】
また、上記各実施形態では、スイッチ伝達体の固定部が電池３０のプラス極３０ａと同電位となっているが、これに限定されず、電池３０のマイナス極と同電位となっていてもよい。これにより、上記各実施形態と同様に、スイッチ伝達体により回路基板に対して静電シールドすることができる。
【００８９】
その他、本発明の趣旨を逸脱しない範囲で、上記した実施の形態における構成要素を周知の構成要素に置き換えることは適宜可能である。
【符号の説明】
【００９０】
１，１０１，２０１，４０１…時計  ３…ケース本体（ケース）  ４…裏蓋  １５…フロントスイッチ（スイッチ）  ２３…スイッチばね  ２６…回路基板  ３０…電池  ３０ａ…プラス極（一方電極端子）  ３１…電池枠  ４０，１４０，２４０，３４０，４４０…スイッチ伝達体  ４１，１４１，２４１，３４１，４４１…固定部  ４２，２４２，４４２…接触部  ４３，３４３，４４３…受部
【図１】
2018054295.tif 000003
【図２】
2018054295.tif 000004
【図３】
2018054295.tif 000005
【図４】
2018054295.tif 000006
【図５】
2018054295.tif 000007
【図６】
2018054295.tif 000008
【図７】
2018054295.tif 000009
【図８】
2018054295.tif 000010
【図９】
2018054295.tif 000011
【図１０】
2018054295.tif 000012
【図１１】
2018054295.tif 000013
【図１２】
2018054295.tif 000014
【図１３】
2018054295.tif 000015
【図１４】
2018054295.tif 000016
【図１５】
2018054295.tif 000017
【図１６】
2018054295.tif 000018
【図１７】
2018054295.tif 000019
【図１８】
2018054295.tif 000020
【図１９】
2018054295.tif 000021